(57)【要約】【課題】回転軸のスラスト軸受機能を高める。【解決手段】動圧型軸受装置は、一端が封口されたハウジング３と、ハウジング３の内周面に固定された軸受４とを備えている。軸受４は、ラジアル軸受隙間に油膜の動圧作用を発生させるラジアル軸受面４ａをその内周面に有すると共に、スラスト軸受隙間に油膜の動圧作用を発生させるスラスト軸受面４ｂをその端面に有している。また、ハブ６は、軸受４のスラスト軸受面４ｂとスラスト軸受隙間を介して対向するスラスト支持面２ｂを有している。【選択図】図１
2005098519.tif 000002
【特許請求の範囲】
【請求項１】
ステータコイルとロータとの間に生じる電磁力によって回転する回転軸と、該回転軸に固定された回転部材と、該回転軸を非接触支持する動圧型軸受装置とを備えた情報機器のスピンドルモータにおいて、
前記動圧型軸受装置は、一端が封口されたハウジングと、該ハウジングの内周面に固定された軸受とを備え、
前記軸受は、ラジアル軸受隙間に油膜の動圧作用を発生させるラジアル軸受面をその内周面に有すると共に、スラスト軸受隙間に油膜の動圧作用を発生させるスラスト軸受面をその端面に有していることを特徴とする情報機器のスピンドルモータ。
【請求項２】
前記スラスト軸受面は、前記ハウジングの他端側に位置する前記軸受の端面に設けられていることを特徴とする請求項１に記載の情報機器のスピンドルモータ。
【請求項３】
前記回転部材は、前記軸受のスラスト軸受面とスラスト軸受隙間を介して対向するスラスト支持面を有していることを特徴とする請求項１又は２に記載の情報機器のスピンドルモータ。
【請求項４】
前記軸受は、焼結金属からなる多孔質体で形成されていることを特徴とする請求項１から３の何れかに記載の情報機器のスピンドルモータ。
【発明の詳細な説明】
【技術分野】
【０００１】
本発明は、磁気ディスク装置（ＨＤＤ、ＦＤＤ）、光ディスク装置（ＣＤ−ＲＯＭ、ＤＶＤ−ＲＯＭ、ＤＶＤ−ＲＡＭなど）、光磁気ディスク装置（ＭＯ）、デジタルオーディオテープレコーダ（ＤＡＴ）、レーザビームプリンタ（ＬＢＰ）、デジタルＦＡＸ、デジタルＰＰＣ等の情報機器のスピンドルモータに関するものである。
【背景技術】
【０００２】
この種のスピンドルモータにおいて、回転軸にスラスト荷重が加わる使用条件下では、回転軸の外周面をラジアル方向に非接触支持する手段に加え、スラスト荷重を支持するための手段が別途必要になる。
【０００３】
従来、スラスト支持手段として、回転軸の凸球面状の軸端を平板状の樹脂ワッシャでピボット支持する構成、多孔質含油軸受の端面を回転軸に固定した平板状ワッシャで支持する構成が採用されている。
【発明の開示】
【発明が解決しようとする課題】
【０００４】
凸球面状の軸端と平板状の樹脂製ワッシャとのピボット支持構造は、適度に摩擦力低減効果があり、低コストであるため、広くスラスト支持構造として使用されてきたが、近時、回転軸の駆動条件が厳しくなり（高速回転化、回転性能の向上）、摩擦力低減、耐摩耗性の点で不充分になりつつある。例えばＬＢＰでは、低コストモータでも２００００ｒｐｍ以上の要望があり、その場合、スラスト支持部の発熱量が大きくなり、樹脂製ワッシャが軟化することによってその表面が凹み、回転軸の軸端面との接触面積が増大する。そのため、スラスト支持部の摩擦力が大きくなる一方、ワッシャの摩耗も増大し、要求される寿命を満足出来ない可能性がある。
【０００５】
本発明の目的は、回転軸のスラスト軸受機能を高めた情報機器のスピンドルモータを提供することである。
【課題を解決するための手段】
【０００６】
上記目的を達成するため、本発明は、ステータコイルとロータとの間に生じる電磁力によって回転する回転軸と、回転軸に固定された回転部材と、回転軸を非接触支持する動圧型軸受装置とを備えた情報機器のスピンドルモータにおいて、動圧型軸受装置は、一端が封口されたハウジングと、ハウジングの内周面に固定された軸受とを備え、軸受は、ラジアル軸受隙間に油膜の動圧作用を発生させるラジアル軸受面をその内周面に有すると共に、スラスト軸受隙間に油膜の動圧作用を発生させるスラスト軸受面をその端面に有している構成を提供する。
【０００７】
上記構成において、スラスト軸受面は、ハウジングの他端側に位置する前記軸受の端面に設けることができる。
【０００８】
また、軸受のスラスト軸受面とスラスト軸受隙間を介して対向するスラスト支持面を回転部材に設けることができる。
【０００９】
さらに、軸受は、焼結金属からなる多孔質体で形成することができる。
【発明の効果】
【００１０】
本発明によれば、スラスト軸受隙間に油膜の動圧作用を発生させるスラスト軸受面を軸受の端面に設けたことにより、回転軸のスラスト軸受機能を高めることができる。
【発明を実施するための最良の形態】
【００１１】
本発明をＬＢＰのスキャナモータ（スピンドルモータ）に適用した場合の実施形態について図１（ａ）〜（ｄ）を参照して以下に説明する。
【００１２】
図１（ａ）はＬＢＰのスキャナモータ（１）を例示している。回転軸（２）はハウジング（３）に挿入され、軸受（４）によって回転自在に支持される。回転軸（２）の上端部にはハブ（回転部材）（６）が固定される。ハブ（６）のボス部下面にスラスト支持面（２ｂ）が形成され、下部に突設されたフランジ部（６ａ）の下面にロータ（７）が固定される。また、ハブ（６）の上部に形成された段差部（６ｂ）に多面鏡（ポリゴンミラー）（８）が収容され、与圧バネ（９）、ワッシャ（１０）、ボルト（１１）で固定される。
【００１３】
ハウジング（３）は、下部にフランジ部（３ａ）が突設された円筒体で、フランジ部（３ａ）上に支持板（１２）を介してステータコイル（１３）を固定し、ロータ（７）にアキシャルギャップ（ｇ）を介して対向させている。ハウジング（３）の下部開口端は油漏れ防止板（１４）で封口されている。
【００１４】
軸受（４）は銅又は鉄、あるいは、その両者を主成分とする焼結金属等からなる多孔質体に潤滑油又は潤滑グリースを含浸させた多孔質含油軸受で、ハウジング（３）の内周面に圧入等によって固定される。図１（ｃ）に示すように、軸受（４）の内周面の領域（Ｍａ）及び領域（Ｍｂ）には、回転軸（２）の外周面と微少なラジアル軸受隙間を介して対向し、且つ、傾斜状の動圧溝（４ｂ）を有するラジアル軸受面（４ａ）が形成される。
【００１５】
また、軸受（４）の上端面には、図１（ｄ）に示すように、スラスト支持面（２ｂ）とスラスト軸受隙間を介して対向し、且つ、傾斜状の動圧溝（４ｃ）を有するスラスト軸受面（４ｄ）が形成される。尚、傾斜状の動圧溝はスラスト支持面（２ｂ）側に形成されていても良い。更に、軸受（４）の内周面のスラスト軸受面（４ｄ）側の領域（Ｍｃ）に、軸受内部からラジアル軸受隙間に滲み出した油をスラスト軸受面（４ｄ）に導くための傾斜溝（４ｅ）が形成される。尚、内周面の領域（Ｍｃ）の表面開孔率は１０％以下、好ましくは５％以下とし、また、スラスト支持面（２ｂ）とスラスト軸受面（４ｄ）との平行度は１０μｍ以下、好ましくは５μｍ以下とする。また、軸受（４）の端面チャンファ部は封孔処理しておくのが好ましい。
【００１６】
回転軸（２）の外周面は軸受（４）のラジアル軸受面（４ａ）に挿入され、ハブ（６）のスラスト支持面（２ｂ）は軸受（４）のスラスト軸受面（４ｄ）に対向配置される。ステータコイル（１３）とロータ（７）との間に生じる電磁力によって回転軸（２）を回転させると、ハブ（６）を介して回転軸（２）に固定された多面鏡（８）が回転する。その際、回転軸（２）の回転に伴ってラジアル軸受隙間に圧力が発生し、図１（ｂ）に示すように、軸受（４）に含浸された油（潤滑油又は潤滑グリースの基油）がラジアル軸受隙間に滲み出して、動圧溝（４ｂ）の動圧作用により動圧油膜（Ｆａ）が形成される。この動圧油膜（Ｆａ）によって、回転軸（２）の外周面がラジアル軸受面（４ａ）に対してラジアル方向に非接触支持される。
【００１７】
また、軸受（４）に含浸された油がスラスト軸受面（４ｄ）を介してスラスト軸受隙間に滲み出し、同時に、ラジアル軸受隙間に滲み出した油が傾斜溝（４ｅ）の作用によってスラスト軸受隙間に導かれる。そして、スラスト軸受面（４ｄ）の動圧溝（４ｃ）の作用によって、図１（ｂ）に示すように、スラスト支持面（２ｂ）とスラスト軸受面（４ｄ）との間のスラスト軸受隙間に動圧油膜（Ｆｂ）が形成される。その動圧油膜（Ｆｂ）によってスラスト支持面（２ｂ）がスラスト軸受面（４ｄ）に対してスラスト方向に非接触支持される。
【図面の簡単な説明】
【００１８】
【図１】図１（ａ）は本発明に係るスピンドルモータの実施の形態を示す縦断面図、図１（ｂ）は軸受の上方部分を示す部分縦断面図、図１（ｃ）は動圧型軸受装置の縦断面図、図１（ｄ）はスラスト軸受面を示す平面図である。
【符号の説明】
【００１９】
２    回転軸
２ｂ  スラスト支持面
４    軸受
４ａ  ラジアル軸受面
４ｄ  スラスト軸受面
４ｂ  動圧溝
Ｆａ  油膜（ラジアル軸受隙間）
Ｆｂ  油膜（スラスト軸受隙間）
【図１】
2005098519.tif 000003